(57)【要約】【課題】印刷装置の内部に絵文字フォントを搭載しなくても、絵文字を使用した電子メールを印刷することが可能な印刷方法を提供すること。【解決手段】印刷データを受信するデータ受信手段と、印刷データを受信したインターフェースを認識するインターフェース認識手段と、受信したデータを解析する受信データ解析手段と、文字データを認識する文字コード認識手段と、絵文字データを認識する絵文字コード認識手段と、ビットマップデータを保持する文字データ保持手段と、記憶媒体を装着する記憶媒体装着手段と、文字データを認識する文字コード認識手段と、を有し、前記データ受信手段によって受け取ったデータが、インターフェース認識手段によって、或る特定のインターフェースから受け取ったものであると確認されたときにのみ、前記記憶媒体装着手段に装着された記憶媒体に記憶された前記文字データ保持手段を使用する。【選択図】図２
2006175655.tif 000002
【特許請求の範囲】
【請求項１】
受信データに基づいて印刷を行う印刷方法であって、
印刷データを受信するデータ受信手段と、印刷データを受信したインターフェースを認識するインターフェース認識手段と、前記データ受信手段から受信したデータを解析する受信データ解析手段と、文字データを認識する文字コード認識手段と、絵文字データを認識する絵文字コード認識手段と、文字コードに割り当てられたビットマップデータを保持する文字データ保持手段と、絵文字コード表を格納する記憶媒体を装着する記憶媒体装着手段と、文字データを認識する文字コード認識手段と、を有し、前記データ受信手段によって受け取ったデータが、前記インターフェース認識手段によって、或る特定のインターフェースから受け取ったものであると確認されたときにのみ、前記記憶媒体装着手段に装着された記憶媒体に記憶された前記文字データ保持手段を使用することを特徴とする印刷方法。
【請求項２】
電子メール文書の送信アドレスを記憶する送信アドレス記憶手段と、複数の前記絵文字コード変換テーブル手段を保持し、前記絵文字コード変換テーブルを使い分ける、絵文字コード変換テーブル切り替え手段と、を有し、電子メール文書が送信されてきた場合、その文書の送信アドレスと前記送信アドレス記憶手段に記憶されている送信アドレスを比較し、前記絵文字コード変換テーブル切り替え手段によって、前記絵文字コード変換テーブルを使い分けることを特徴とする請求項１記載の印刷方法。
【請求項３】
受信データに基づいて印刷を行う印刷装置であって、
印刷データを受信するデータ受信部と、印刷データを受信したインターフェースを認識するインターフェース認識部と、前記データ受信部から受信したデータを解析する受信データ解析部と、文字データを認識する文字コード認識部と、絵文字データを認識する絵文字コード認識部と、文字コードに割り当てられたビットマップデータを保持する文字データ保持部と、絵文字コード表を格納する記憶媒体を装着する記憶媒体装着部と、文字データを認識する文字コード認識部と、を有し、前記データ受信部によって受け取ったデータが、前記インターフェース認識部によって、或る特定のインターフェースから受け取ったものであると確認されたときにのみ、前記記憶媒体装着部に装着された記憶媒体に記憶された前記文字データ保持部を使用することを特徴とする印刷装置。
【請求項４】
電子メール文書の送信アドレスを記憶する送信アドレス記憶部と、複数の前記絵文字コード変換テーブル部を保持し、前記絵文字コード変換テーブルを使い分ける、絵文字コード変換テーブル切り替え部と、を有し、電子メール文書が送信されてきた場合、その文書の送信アドレスと前記送信アドレス記憶部に記憶されている送信アドレスを比較し、前記絵文字コード変換テーブル切り替え部によって、前記絵文字コード変換テーブルを使い分けることを特徴とする請求項３記載の印刷装置。
【発明の詳細な説明】
【技術分野】
【０００１】
本発明は、文字コードで形成された文書を印刷する印刷方法及び印刷装置に関するものであり、特に絵文字と呼ばれる特殊な文字コードを含む文書を印刷する場合の制御装置及びその制御方法に関するものである。
【背景技術】
【０００２】
近年、携帯電話は広く使用されるようになってきている。このような携帯電話は以前と比べ、かなりの高機能化を遂げており、電話という通信手段の主たる目的である音声通話と言う機能に留まらず、ホームページの閲覧や電子メールのやり取り等を行うインターネット機能、デジタル画像の撮影するデジタルカメラ機能、メール文書やデジタル画像を外部メモリに保存する保存機能、赤外線通信を利用した他の携帯電話若しくは他の機器とのデータのやり取りする機能等、様々な機能を保持するようになってきた。特に、電子メールのやり取りに関しては非常に普及しており、電子メールによるコミュニケーションは音声通話でのコミュニケーション以上に頻繁に使用されている状況である。
【０００３】
このような状況に伴って、携帯電話での電子メールの文化は独自の発展を遂げている。
【０００４】
従来、電子メールはコンピュータを使用したインターネットの世界の技術であった。電子メールとはその名の通り、インターネットというデジタルの世界での手紙のやり取りであって、コンピュータで作成した文書をインターネット経由で所望の相手に送信することが可能である。利用者はメールアドレスと呼ばれる識別コードが与えられている。コンピュータ上で作成したデジタルデータを所望の相手に送る場合、電子メールの形式を使用し、宛先に送信相手の識別コード（メールアドレス）を記載する。
【０００５】
“電子メール”をインターネットを介し、電子メールの配信を管理するメールサーバと呼ばれる機能が搭載されたコンピュータに対し送信する。このメールサーバがデータに記載されている識別コード（メールアドレス）から、送信相手を割り出していき、最終的に送信相手の所属するメールサーバへと送信される。送信相手はこのメールサーバにアクセスし、自分の識別コード（メールアドレス）に送信されたデジタルデータを読むことが可能になる。
【０００６】
この電子メールに代表されるデジタル文書に使用される「文字」は、一般的に定められた文字コードと呼ばれる１バイト若しくは２バイトのデータから成り立っている。デジタル文書を扱う電子機器は、これらの文字コードに対応した「フォント」と呼ばれる文字のデザインデータを、フォントテーブルと呼ばれる形式で保持している。デジタル文書を表示、印刷等する場合、文字コードからフォントテーブルを使用して、ユーザーが読める文書に変換される。
【０００７】
携帯電話で使用されている電子メールにおいても、基本的には従来の電子メールと全く同じ形式を採っている。しかし、パソコン等、大画面のディスプレイを使用して文書を読むことが可能な装置と比べると、携帯電話の表示部は表示範囲が狭く、文書を表示する能力は貧弱である。又、電子メールを送信する通信料もデータ量によって高くなる。このため、なるべく短い文書で相手に自分の意志を伝える手段が模索されてきた。このような状況下で、携帯電話独自の文化として発展したのが「絵文字」である。絵文字とは通常の文字でなく、１つの絵を文字と同じ用に扱うものである。「絵文字」の制御方法は、一般的に定められた文字コードで使用されていない２バイトの文字コードを、フォントと同じようにそれぞれの絵に割り当てて使用するものである。
【０００８】
携帯電話使用者は、通常の「文字」とこの「絵文字」を組み合わせることで、表現力豊かな文を短い電子メールの中に表すことが可能になった。
【０００９】
【特許文献１】特開２００３−１１４８４４号公報
【特許文献２】特開２００３−２１６５４４号公報
【特許文献３】特開２００３−２９６２４６号公報
【特許文献４】特開２００４−１３９５１４号公報
【発明の開示】
【発明が解決しようとする課題】
【００１０】
ところで現在、この「絵文字」は日々発展しており、携帯電話の新しい機種が出るタイミングで新しい「絵文字」が追加されることもしばしばある。又、「絵文字」に使用されている絵については一般的な規格がある訳ではなく、各携帯電話会社の独自のものとなっている。これによって、割り当てられる絵文字コードについても、各携帯電話会社が一般的に定められた文字コードと重ならないように、独自に割り振ったものである。このため、携帯電話の電子メールに絵文字を使用した場合、同じ携帯電話会社に契約している相手にしか「絵文字」を表現できず、他の携帯電話会社に契約しているユーザーや、一般のコンピュータを使用しているユーザーに対しては送信することがきない、若しくは送信しても絵文字が表現されないので意味不明の文書になってしまう。
【００１１】
同じく絵文字を使用した電子メールデータを、赤外線等の通信方法や、外部メモリに保存する保存機能を使用して、コンピュータやプリンタ等の他の機器で表示した場合も絵文字が表現されないので意味不明の文書になってしまう。この問題の解決法として、絵文字コードに対応した絵文字フォントテーブルを作成し、搭載すれば、コンピュータやプリンタ等の他の機器で表示した場合でも表示は可能ではある。実際、コンピュータ用のソフトウェアとして、絵文字フォントを積んだアプリケーションが提供されている。
【００１２】
しかし、プリンタ等のコンシューマ機器の中に絵文字フォントを搭載するにはメモリ等のリソース資源が必要となってくるため、安価に搭載することが容易ではない。
【００１３】
本発明は上記課題に鑑みてなされたもので、印刷装置に接続可能な外部記憶領域に絵文字フォントを搭載することで、第１の目的として、印刷装置の内部に絵文字フォントを搭載しなくても、絵文字を使用した電子メールを印刷することが可能な印刷方法を提供することである。
【００１４】
又、第２の目的として、新規の絵文字データが新たに追加された場合でも、印刷装置内部に変更を加えることなく、最新の絵文字を使用した電子メールを印刷することが可能な印刷方法を提供することである。
【００１５】
又、第３の目的として、特定の携帯電話会社が提供する絵文字に限定せず、任意の携帯電話会社が提供する絵文字を使用した電子メールを印刷することが可能な印刷方法を提供することである。
【課題を解決するための手段】
【００１６】
上記目的を達成するため、請求項１記載の発明は、受信データに基づいて印刷を行う印刷方法として、印刷データを受信するデータ受信手段と、印刷データを受信したインターフェースを認識するインターフェース認識手段と、前記データ受信手段から受信したデータを解析する受信データ解析手段と、文字データを認識する文字コード認識手段と、絵文字データを認識する絵文字コード認識手段と、文字コードに割り当てられたビットマップデータを保持する文字データ保持手段と、絵文字コード表を格納する記憶媒体を装着する記憶媒体装着手段と、文字データを認識する文字コード認識手段と、を有し、前記データ受信手段によって受け取ったデータが、前記インターフェース認識手段によって、或る特定のインターフェースから受け取ったものであると確認されたときにのみ、前記記憶媒体装着手段に装着された記憶媒体に記憶された前記文字データ保持手段を使用することを特徴とする。
【００１７】
請求項２記載の発明は、請求項１記載の発明において、電子メール文書の送信アドレスを記憶する送信アドレス記憶手段と、複数の前記絵文字コード変換テーブル手段を保持し、前記絵文字コード変換テーブルを使い分ける、絵文字コード変換テーブル切り替え手段と、を有し、電子メール文書が送信されてきた場合、その文書の送信アドレスと前記送信アドレス記憶手段に記憶されている送信アドレスを比較し、前記絵文字コード変換テーブル切り替え手段によって、前記絵文字コード変換テーブルを使い分けることを特徴とする。
【００１８】
請求項３記載の発明は、受信データに基づいて印刷を行う印刷装置として、印刷データを受信するデータ受信部と、印刷データを受信したインターフェースを認識するインターフェース認識部と、前記データ受信部から受信したデータを解析する受信データ解析部と、文字データを認識する文字コード認識部と、絵文字データを認識する絵文字コード認識部と、文字コードに割り当てられたビットマップデータを保持する文字データ保持部と、絵文字コード表を格納する記憶媒体を装着する記憶媒体装着部と、文字データを認識する文字コード認識部と、を有し、前記データ受信部によって受け取ったデータが、前記インターフェース認識部によって、或る特定のインターフェースから受け取ったものであると確認されたときにのみ、前記記憶媒体装着部に装着された記憶媒体に記憶された前記文字データ保持部を使用することを特徴とする。
【００１９】
請求項４記載の発明は、請求項３記載の発明は、電子メール文書の送信アドレスを記憶する送信アドレス記憶部と、複数の前記絵文字コード変換テーブル部を保持し、前記絵文字コード変換テーブルを使い分ける、絵文字コード変換テーブル切り替え部と、を有し、電子メール文書が送信されてきた場合、その文書の送信アドレスと前記送信アドレス記憶部に記憶されている送信アドレスを比較し、前記絵文字コード変換テーブル切り替え部によって、前記絵文字コード変換テーブルを使い分けることを特徴とする。
【発明の効果】
【００２０】
本発明によれば、メモリ等のリソース資源の少ない印刷装置において、印刷装置に接続可能な外部記憶領域に絵文字フォントを搭載することで、印刷装置の内部に絵文字フォントを搭載しなくても、絵文字を使用した電子メールを印刷することができる。又、新規の絵文字データが新たに追加された場合でも、印刷装置内部に変更を加えることなく、最新の絵文字を使用した電子メールを印刷することができる。特定の携帯電話会社が提供する絵文字に限定せず、任意の携帯電話会社が提供する絵文字を使用した電子メールを印刷することができる。
【発明を実施するための最良の形態】
【００２１】
以下、添付図面を参照して本発明の好適な実施の形態を詳細に説明する。
【００２２】
図１は本発明の実施の形態に係る印刷装置１０００の概観斜視図である。この印刷装置１０００は、ホストコンピュータ（ＰＣ）や携帯電話等の外部装置からデータを受信して印刷する通常のＰＣプリンタとしての機能と、メモリカード等の記憶媒体に記憶されている画像データを直接読取って印刷する機能を備えている。
【００２３】
図１において、本実施の形態に係る印刷装置１０００の外殻を成す本体は、ケース１００１、上ケース１００２、アクセスカバー１００３及び排出トレイ１００４の外装部材を有している。又、下ケース１００１は、ＰＤ印刷装置１０００の略下半部を、上ケース１００２は本体の略上半部をそれぞれ形成しており、両ケースの組合せによって内部に後述の各機構を収納する収納空間を有する中空体構造を成し、その上面部及び前面部にはそれぞれ開口部が形成されている。
【００２４】
更に、排出トレイ１００４は、その一端部が下ケース１００１に回転自在に保持され、その回転によって下ケース１００１の前面部に形成される開口部を開閉させ得るようになっている。このため、記録動作を実行させる際には、排出トレイ１００４を前面側へと回転させて開口部を開成させることにより、ここから記録シートが排出可能となると共に、排出された記録シートを順次積載し得るようになっている。又、排紙トレイ１００４には、２枚の補助トレイ１００４ａ，１００４ｂが収納されており、必要に応じて各トレイを手前に引き出すことにより、用紙の支持面積を３段階に拡大、縮小させ得るようになっている。
【００２５】
アクセスカバー１００３は、その一端部が上ケース１００２に回転自在に保持され、上面に形成される開口部を開閉し得るようになっており、このアクセスカバー１００３を開くことによって本体内部に収納されている記録ヘッドカートリッジ（不図示）或はインクタンク（不図示）等の交換が可能となる。尚、ここでは特に図示しないが、アクセスカバー１００３を開閉させると、その裏面に形成された突起がカバー開閉レバーを回転させるようになっており、そのレバーの回転位置をマイクロスイッチ等で検出することにより、アクセスカバーの開閉状態を検出し得るようになっている。
【００２６】
又、上ケース１００２の上面には、電源キー１００５が押下可能に設けられている。又、上ケース１００２の右側には、液晶表示部１００６や各種キースイッチ等を備える操作パネル１０１０が設けられている。この操作パネル１０１０は、プリンタ操作特に後述のメモリカード等に記録される画像データを印刷するとき等に主に使用するものである。１００７は自動給送部で、記録シートを装置本体内へと自動的に給送する。１００８は紙間選択レバーで、プリントヘッドと記録シートとの間隔を調整するためのレバーである。１０１１はカードスロットで、ここにメモリカードを装着可能なアダプタが挿入され、このアダプタを介してメモリカードに記憶されている画像データを直接取り込んで印刷することができる。
【００２７】
又、本発明における、絵文字コードを割り当てた文字データ保持手段をこのメモリカードの中に保有することが可能である。このメモリカードとしては、例えばコンパクトフラッシュメモリ、スマートメディア、メモリスティック等がある。１０１２はカードスロット１０１１に挿入されたメモリカードを取り出すためのアクセス装置である。１００９は赤外線受光部であり、ＰＣや携帯電話等の外部装置からデータを受信するためのものである。又、印刷装置１０００の背面にはＵＳＢ等のインターフェースを接続するインターフェース接続部（不図示）が存在する。
【００２８】
次に、図２を参照して、本実施の形態に係る印刷装置１０００の制御に係る主要部の構成を説明する。尚、この図２において、前述の図面と共通する部分は同じ記号を付与して、それらの説明を省略する。
【００２９】
図２において、２０００は制御部（制御基板）を示している。２００１はＡＳＩＣ（専用カスタムＬＳＩ）を示し、その構成は図３のブロック図を参照して詳しく後述する。２００２はＣＰＵ、２００３はメモリで、２００２のＣＰＵの制御プログラムを記憶するプログラムメモリ２００３ａ及び実行時のプログラムを記憶するＲＡＭエリア、画像データなどを記憶するワークメモリとして機能するメモリエリアを有している。２００４はプリンタエンジンで、ここでは、複数色のカラーインクを用いてカラー画像を印刷するインクジェットプリンタのプリンタエンジンが搭載されている。
【００３０】
２００５は赤外線処理装置であり、前述した赤外線受光部１００９に照射された赤外線を認識し受信する装置である。２００９は電源コネクタで、電源２００６により、商用ＡＣから変換された直流電圧を入力している。ＰＣ２００８は一般的なパーソナルコンピュータであり、有線インターフェース接続部２０１２を介して接続される。２００７は前述したメモリカード（ＰＣカード）である。本発明における、絵文字コードを割り当てた文字データ保持手段をこのメモリカードの中に保有することが可能である。
【００３１】
尚、その他のプリンタ詳細についてはエンジン２００４にまとめることで不図示であり、これらとの間の信号のやり取りは、内部バス２０１１を介して行われる。
【００３２】
図３はＡＳＩＣ２００１の構成を示すブロック図で、この図３においても、前述の図面と共通する部分は同じ記号を付与して、それらの説明を省略する。
【００３３】
３００１はＰＣカードインターフェース部で、装着されたＰＣカード２００７に記憶されている画像データを読取ったり、或はＰＣカード２００７へのデータの書き込み等を行ったりする。３００３はＵＳＢインターフェース部で、ＰＣ２００８との間でのデータのやり取りを行う。３００４は赤外線インターフェース部で、赤外線処理装置２００５を介してＰＣや携帯電話等のデータの受信を行う。
【００３４】
３００５は操作パネル・インターフェース部で、操作パネル１０１０からの各種操作信号を入力したり、表示部１００６への表示データの出力したりする。３００２は各種スイッチやＬＥＤ３００８等との間のインターフェースを制御するインターフェース部である。３００６はＣＰＵインターフェース部で、ＣＰＵ２００２との間でのデータのやり取りの制御を行っている。３００７はこれら各部を接続する内部バス（ＡＳＩＣバス）である。
【００３５】
図４は携帯電話４０００から本実施の形態に係る印刷装置１０００に対して電子メールや画像等のデータを送信する場合のイメージ図である。
【００３６】
携帯電話４０００は、音声通話と言う基本機能に留まらず、インターネットを介したホームページの閲覧や電子メールのやり取り、デジタル画像の撮影、メール文書やデジタル画像を外部メモリに保存、赤外線通信を利用した他の携帯電話若しくは他の機器とのデータのやり取りが可能なものである。
【００３７】
４００１はプッシュボタンであり、音声通話を発信するための電話番号入力のみに留まらず、文字入力も可能である。４００２は表示部であり、電話番号、電子メール、ホームページ閲覧等、利用者に対し視覚的な情報を提供するものである。４００３は赤外線通信部であり、本実施の形態に係る印刷装置１０００と赤外線通信を行う際に、印刷装置１０００の赤外線受光部１００９に対してデータを送信する為のインターフェースである。尚、この赤外線通信部４００３は、印刷装置１０００の赤外線受光部１００９と違い、データの受信のみならず、データの発信も行うことが可能である。
【００３８】
本実施形態の説明において、携帯電話４０００に搭載されているとするデジタルカメラ機能、外部メモリに保存する保存機能を実施するための装置は不図示とする。
【００３９】
図５は文字コードに対応したフォントテーブル５０００のイメージ図である。尚、このコードはＪＩＳ規格で定められたものである。
【００４０】
５００１は文字コードの上位バイトを表したものである。５００２は文字コードの下位バイトを表したものである。文字コードは１バイトコードの場合、上位バイト５００１と下位バイト５００２を加算して表したものとなる。５００３はフォントデータであり、通常文字フォント５００３は、ビットマップデータ等の画像形式によって、印刷装置の記憶領域に保存して使用する。
【００４１】
図６は文字コードに対応したフォントテーブル６０００のイメージ図である。尚、このコードはシフトＪＩＳ規格で定められたものである。６００３は日本語フォントデータであり、通常、日本語フォント６００３は、ビットマップデータ等の画像形式によって、印刷装置の記憶領域に保存して使用する。
【００４２】
図７は絵文字用フォントテーブル７０００のイメージ図である。７００３は絵文字フォントデータである。通常絵文字フォント７００３は、ビットマップデータ等の画像形式によって、印刷装置の記憶領域に保存して使用するが、本発明においては外部記憶領域に保存することとなる。絵文字が含まれた文書を印刷する場合、この絵文字絵文字用フォントテーブル７０００が必要である。
【００４３】
図８は本発明形態で表される絵文字コード変換テーブル切り替え手段に使用される、アドレス別絵文字コード変換テーブル８０００である。８００１は、登録されている送信メールアドレスであり、８００２は送信メールアドレスによって使い分けられる、絵文字コード変換テーブル７０００のテーブル番号である。送信メールアドレス８００１から対応する絵文字コード変換テーブル７０００を割り出すために、テーブル番号８００２を使用しているが、これは具体例を示したものであり、本発明における送信メールアドレス８００１から対応する絵文字コード変換テーブル７０００はこれに限ったものではない。
【００４４】
＜実施の形態１＞
本発明に係る印刷装置について、具体的な動作手順を含めて実施の形態として説明を行う。本発明に記載の印刷装置１０００は、電源キー１００５を押下することで起動を行う。一連の初期動作を行った後、ＵＳＢインターフェース接続部（不図示）や赤外線受光部１００９を通してＰＣ２００８や携帯電話４０００からデータを受信した時点で、データ解析が行われる（Ｓ９００１）。
【００４５】
印刷装置１０００は、受信したデータが、どのインターフェースを介して受信したものかを調べて（Ｓ９００２）赤外線受光部１００９を介したもので無かった場合、絵文字を使用しないと判断し、絵文字用フォントテーブル７０００を使用しないで印刷処理を行う（Ｓ９０１１）。通常、絵文字コードを含む文章は、携帯電話４０００で作成されるものが殆どであり、又、印刷装置１０００が携帯電話４０００からデータを受け取る場合、赤外線受光部１００９を介する方法が多く利用される。これは絵文字コードを含んでいない文章に対して、絵文字コードテーブル７０００を検索するような無駄な処理を省くためである。
【００４６】
データ受信が赤外線受光部１００９を介したものであると判断した場合（Ｓ９００２）、受け取ったデータが、電子メールデータかどうかの判断を行う（９００３）。機器間の電子メールデータのやり取りについては、Infrade Data Associationで定められた、IrMC規格の中のvMessage形式を使用するのが一般的である（参照：Specifications for Ir Mobile
Communications(IrMC) Version1.1  1999年３月１日  Infrared
Data Association 発行）。もし、電子メールデータでなかった場合（Ｓ９００３）、絵文字データは存在しないと判断し、本発明形態ではない印刷動作を行う（Ｓ９０１３）。
【００４７】
もし、電子メールデータだった場合（Ｓ９００３）、カードスロット１０１１にＰＣカード２００７が挿入されていて、且つ、ＰＣカード２００７内に絵文字コード変換テーブル７０００が存在するかどうかの判断を行う（Ｓ９００４）。もし、ＰＣカード２００７が挿入されていない、若しくはＰＣカード２００７が挿入されているのに絵文字コード変換テーブル７０００が存在しない場合、絵文字用フォントテーブル７０００を使用せずに印刷処理を行う（Ｓ９０１１）。カードスロット１０１１にＰＣカード２００７が挿入されていて、且つ、ＰＣカード２００７内に絵文字コード変換テーブル７０００が存在する場合、実際のデータ解析に移行する。
【００４８】
データ解析における初期動作（不図示）を行った後、文字データが存在するかどうかの確認を行う（Ｓ９００５）。もし、文字データがない場合、終了処理を行い終了する（Ｓ９０１２）。文字データが存在する場合、最初の文字を１文字取得する（Ｓ９００６）。取得した文字の文字コードが絵文字かどうかのチェックを行い（Ｓ９００７）、絵文字ではなかった場合、印刷装置１０００内部に保存されている、基本文字コード表を使用して、印刷可能なデータに変換する（Ｓ９０１０）。絵文字コードだった場合、ＰＣカード２００７内にある絵文字コード変換テーブル７０００を使用して、印刷可能なデータに変換する（Ｓ９００８）。
【００４９】
１文字分の変換が終わったら、次の文字の解析に移行する（Ｓ９００９）。Ｓ９００５からＳ９００９までの処理を全ての文字データに行うことで、受け取ったデータを印刷データへ変換する。全ての文字コードを処理し終えた時点で、本発明における動作は終了する（Ｓ９０１２）。
【００５０】
本実施の形態のような形態を採った場合、印刷装置１０００の内部に絵文字用フォントテーブル７０００を持たないため、絵文字用フォントテーブル７０００をＰＣカード２００７に保存されているため、メモリ等のリソース資源が貧弱な印刷装置においても容易に絵文字を印刷させることが可能である。又、新しい絵文字コードが割り振られた場合でも絵文字用フォントテーブル７０００の変更が容易である。更に、ユーザーによって、好みの絵文字データを使用して絵文字用フォントテーブル７０００を作成することも可能である。
【００５１】
＜実施の形態２＞
本発明の印刷装置について、具体的な動作手順を含めて実施の形態として説明を行う。本発明に係る印刷装置１０００は、電源キー１００５を押下することで起動を行う。一連の初期動作を行った後、ＵＳＢインターフェース接続部（不図示）や赤外線受光部１００９を通してＰＣ２００８や携帯電話４０００からデータを受信した時点で、データ解析が行われる（Ｓ１０００１）。
【００５２】
印刷装置１０００は、受信したデータが、どのインターフェースを介して受信したものかを調べて（Ｓ１０００２）赤外線受光部１００９を介したもので無かった場合、絵文字を使用しないと判断し、絵文字用フォントテーブル７０００を使用せずに印刷処理を行う（Ｓ１００１４）。通常、絵文字コードを含む文章は、携帯電話４０００で作成されるものが殆どであり、又、印刷装置１０００が携帯電話４０００からデータを受け取る場合、赤外線受光部１００９を介する方法が多く利用される。これは絵文字コードを含んでいない文章に対して、絵文字コードテーブル７０００を検索するような無駄な処理を省くためである。
【００５３】
データ受信が赤外線受光部１００９を介したものであると判断した場合（Ｓ１０００２）、受け取ったデータが、電子メールデータかどうかの判断を行う（１０００３）。機器間の電子メールデータのやり取りについては、前述の通りである。もし、電子メールデータでなかった場合（Ｓ１０００３）、絵文字データは存在しないと判断し、本発明形態ではない印刷動作を行う（Ｓ１００１１）。もし、電子メールデータだった場合（Ｓ１０００３）、カードスロット１０１１にＰＣカード２００７が挿入されていて、且つ、ＰＣカード２００７内に絵文字コード変換テーブル７０００が存在するかどうかの判断を行う（Ｓ１０００４）。もし、ＰＣカード２００７が挿入されていない、若しくはＰＣカード２００７が挿入されているのに絵文字コード変換テーブル７０００が存在しない場合、絵文字用フォントテーブル７０００を使用せずに印刷処理を行う（Ｓ１００１４）。
【００５４】
カードスロット１０１１にＰＣカード２００７が挿入されていて、且つ、ＰＣカード２００７内に絵文字コード変換テーブル７０００が存在する場合、受信したデータに記載されている、送信アドレスのチェックを行う（Ｓ１０００５）。本発明形態で表されるアドレス別絵文字コード変換テーブル８０００を参照し、送信者アドレス８００１に対応する本発明形態で表される絵文字用フォントテーブル７０００を取得する（Ｓ１０００６）。この絵文字用フォントテーブル７０００は、受け取った電子メールデータの印刷が終了するまで使用される。
【００５５】
データ解析における初期動作（不図示）を行った後、文字データが存在するかどうかの確認を行う（Ｓ１０００７）。もし、文字データがない場合、終了処理を行い終了する（Ｓ１００１５）。文字データが存在する場合、最初の文字を１文字取得する（Ｓ１０００８）。取得した文字の文字コードが絵文字かどうかのチェックを行い（Ｓ１０００９）、絵文字ではなかった場合、印刷装置１０００内部に保存されている、基本文字コード表を使用して、印刷可能なデータに変換する（Ｓ１００１３）。絵文字コードだった場合、前述のように送信者アドレス８００１から特定された絵文字用フォントテーブル７０００を使用して、印刷可能なデータに変換する（Ｓ１００１０）。
【００５６】
１文字分の変換が終わると、次の文字の解析に移行する（Ｓ１００１２）。Ｓ１０００７からＳ１００１２までの処理を全ての文字データに行うことで、受け取ったデータを印刷データへ変換する。全ての文字コードを処理し終えた時点で、本発明における動作は終了する（Ｓ１００１５）。
【００５７】
本実施の形態のような形態を採った場合、印刷装置１０００の内部に絵文字用フォントテーブル７０００を持たないため、絵文字用フォントテーブル７０００をＰＣカード２００７に保存されているため、メモリ等のリソース資源が貧弱な印刷装置においても容易に絵文字を印刷させることが可能である上に、絵文字用フォントテーブル７０００の更新も容易にできる。又、送信者アドレス８００１によって、絵文字用フォントテーブル７０００を切り替えることが可能なために、複数の電話会社の絵文字用フォントテーブル７０００を使い分けて使用することが可能である。更に、ユーザーによって、好みの絵文字データを使用して絵文字用フォントテーブル７０００を作成することが可能で、その絵文字用フォントテーブル７０００を送信者アドレス８００１によって使い分けることが可能である。
【００５８】
＜その他の実施の形態＞
実施の形態１及２においては、印刷装置１０００が携帯電話４０００からデータを受け取る方法を、赤外線受光部１００９からの赤外線通信のみに限定しているが、それに限ったものではない。絵文字コードを含む電子メールを受け取るインターフェースを限定できれば良く、その他の受け取り方法として、ＰＣカード２００７に絵文字コードを含む電子メールを保存し、カードスロット１０１１に挿入することデータを受け取ることも可能であり、有線インターフェース接続部２０１２を介してデータを受け取ることも考えられる。限られたインターフェースから、電子メールデータを受け取ったときにのみ、絵文字用フォントテーブル７０００を使用すれば良い。
【００５９】
尚、本発明は、複数の機器（例えば、ホストコンピュータ、インターフェース機器、リーダ、プリンタ等）から構成されるシステムに適用しても、１つの機器から成る装置（例えば、複写機、ファクシミリ装置等）に適用しても良い。
【００６０】
又、本発明の目的は、前述した実施形態の機能を実現するソフトウェアのプログラムコードを記録した記憶媒体（又は記録媒体）を、システム或は装置に供給し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。
【００６１】
又、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）等が実際の処理の一部又は全部を行い、その処理によって前述した実施形態の機能が実現される場合も含まれる。
【００６２】
更に、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵ等が実際の処理の一部又は全部を行い、その処理によって前述した実施形態の機能が実現される場合も含まれる。
【図面の簡単な説明】
【００６３】
【図１】本発明の実施の形態に係る印刷装置の概観斜視図である。
【図２】本実施の形態に係る印刷装置の制御に係る主要部の構成を示すブロック図である。
【図３】本実施の形態に係る印刷装置のＡＳＩＣの構成を示すブロック図である。
【図４】本実施の形態に係る印刷装置と携帯電話の通信状態の概観図である。
【図５】印刷装置に一般的に搭載されているフォントテーブルのイメージ図１である。
【図６】印刷装置に一般的に搭載されているフォントテーブルのイメージ図２である。
【図７】絵文字フォントを使用する場合の絵文字フォントテーブルのイメージ図である。
【図８】本実施の形態に係る印刷装置のアドレス別絵文字コード変換テーブル８０００である。
【図９】本実施の形態に係るプリンタ装置で絵文字を含むデータを印刷する場合のフローチャートである。
【図１０】本実施の形態に係るプリンタ装置でメールに添付される送信者アドレスによって、絵文字テーブルを切り替えて、絵文字を含むデータを印刷する場合のフローチャートである。
【符号の説明】
【００６４】
１０００  印刷装置
２０００  制御部
２００１  ＡＳＩＣ
２００２  ＣＰＵ
２００３  メモリ
２００４  プリンタエンジン
２００５  赤外線処理装置
２００６  電源
２００７  メモリカード
２００８  ＰＣ
３００１  ＰＣカードインターフェース部
３００３  ＵＳＢインターフェース部
３００４  赤外線インターフェース部
３００６  ＣＰＵインターフェース部
３００７  内部バス
４０００  携帯電話
５０００  フォントテーブル
【図１】
2006175655.tif 000003
【図２】
2006175655.tif 000004
【図３】
2006175655.tif 000005
【図４】
2006175655.tif 000006
【図５】
2006175655.tif 000007
【図６】
2006175655.tif 000008
【図７】
2006175655.tif 000009
【図８】
2006175655.tif 000010
【図９】
2006175655.tif 000011
【図１０】
2006175655.tif 000012